(57)【要約】      （修正有）【課題】ボディに設けた片持ち支持部に操作レバーを押し込みフック部を組み付け構成し、耐久性に優れた、新規なトリガー式液体噴出器を提供する。【解決手段】容器口部に固定され、容器の内容液が先端のノズルを通して噴射されるボディと、シリンダ内にピストンを配置し、内容液をボディ内に吸引・圧送するポンプと、ピストンの操作レバー4とを備え、操作レバー4の上側にフック部4cを設ける一方、ボディの延長部の下方位置に、間隔を空けて連結される片持ち支持部1dと、片持ち支持部1dの先端との間に隙間nを形成し、操作レバー4を案内する傾斜壁4eと、延長部から垂下して傾斜壁1eの側面に連結される２つの側壁1sとを設け、操作レバー4をフック部4cを片持ち支持部1dに対して引っ掛けて、操作レバー4を牽曳し、側壁1sの一方の側壁1sと片持ち支持部1dの側面を連結し、側壁1sにそれぞれ、延長部に沿って伸びるスリット1sを設ける。【選択図】図４
2011251213.tif 000002
【特許請求の範囲】
【請求項１】
容器の口部に固定される支柱部を有して容器の内容液が延長部の先端に装着されたノズルを通して噴射されるボディと、当該ボディに設けたシリンダ内にピストンを配置しその往復運動によって容器の内容液をボディ内に吸引・圧送するポンプと、ピストンの往復運動を生起させてポンプ動作を惹起させる操作レバーとを備え、
当該操作レバーの上側にフック部を設ける一方、ボディの延長部の下方位置に、支柱部に向かって延在して延長部の下方に間隔を空けて連結される片持ち支持部と、当該片持ち支持部の先端との間に隙間を形成し当該隙間にフック部を押し込むために操作レバーを案内する傾斜壁と、片持ち支持部を挟み込むように延長部から垂下して傾斜壁の側面それぞれに連結される２つの側壁とを設け、
操作レバーを傾斜壁に沿って前記隙間に押し込んで、操作レバーのフック部を片持ち支持部に対して引っ掛けることで、操作レバーの牽曳を可能にすると共に、
前記側壁のうちの、一方の側壁に、当該側壁と対向する片持ち支持部の一方の側面を一体に連結し、更に、当該側壁にそれぞれ、延長部に沿って伸びるスリットを設けたことを特徴とするトリガー式液体噴出器。
【発明の詳細な説明】
【技術分野】
【０００１】
本発明は、操作レバーに設けたフック部をボディに設けた片持ち支持部に引っ掛けることで操作レバーの揺動を可能にしたトリガー式液体噴出器に関するものである。
【背景技術】
【０００２】
従来のトリガー式液体噴出器には、ボディに設けたシリンダがノズルに向かうに従って下向きに傾くように設けられたものがある（例えば、特許文献１）。
【先行技術文献】
【特許文献】
【０００３】
【特許文献１】特開２００５−１０３３６９号公報
【発明の概要】
【発明が解決しようとする課題】
【０００４】
こうしたトリガー式液体噴出器には、操作レバーに設けたフック部をボディに設けた片持ち支持部に引っ掛けることで操作レバーの揺動を可能にし、これにより、ボディに設けたシリンダ内に配置されたピストンの往復運動を生起させて、容器の内容液を噴射するものがある。
【０００５】
しかしながら、かかる構成の場合には、以下のような問題が生じることが懸念される。
【０００６】
図１は、かかるトリガー式液体噴出器を模式的に示す断面図である。
図１にて、１は、容器の口部（図示省略）に固定される支柱部１ａを有して容器の内容液が延長部１ｂの先端に装着されたノズル２を通して噴射されるボディである。また、Ｐは、ボディ１に設けたシリンダ１ｃ内にピストン３を配置しその往復運動によって容器の内容液をボディ１内に吸引・圧送するポンプである。
【０００７】
４は、ピストン３の往復運動を生起させてポンプ動作を惹起させる操作レバーである。操作レバー４は、使用者が把持して実際に牽曳を行う本体部４ａを有し、この本体部４ａと基部４ｂを介して一体にフック部１ｃが設けられている。また、基部４ｂの背面は、傾斜面４ｆとして構成されている。
【０００８】
一方、ボディ１は、延長部１ｂの下方位置に、支柱部１ａに向かって延在して延長部１ｂの下方に間隔を空けて連結される片持ち支持部１ｄと、この片持ち支持部１ｄの先端との間に隙間ｎを形成しこの隙間ｎにフック部１ｃを押し込むために、操作レバー４の傾斜面４ｆに合さって当該操作レバー４を案内する傾斜壁１ｅと、片持ち支持部１ｄを挟み込むように延長部１ｂから垂下して傾斜壁１ｅの側面それぞれに連結される２つの側壁１ｆとが設けられている。
【０００９】
隙間ｎは、図７(a)に示すように、２つの側壁１ｆを横断する隙間ｎ1と、この隙間ｎ1に繋がって側壁１ｆに沿って互いに平行に延在する２つの隙間ｎ2とで形作られたコ字形（Ｕ字形）の隙間として構成される。これにより、図６(a)等に示すように、操作レバー４を傾斜壁１ｅに沿って隙間ｎに押し込めば、フック部４ｃが、その背面４ｆを傾斜壁１ｅによって保持されながら、片持ち支持部１ｄの先端領域１ｄfに対して引っ掛かるので、操作レバー４の牽曳が可能になる。
【００１０】
ところで、操作レバー４は、フック部４ｃを押し込みによって片持ち支持部１ｄの先端領域１ｄfに引っ掛けて組み付けられることから、片持ち支持部１ｄに対しては、フック部４ｃを押し込んだときに、曲げ変形が生じるようにする必要がある一方で、フック部４ｃが片持ち支持部１ｄに引っ掛かった後は、元の状態に復元するようにする必要がある。
【００１１】
しかしながら、片持ち支持部１ｄが曲がるように構成すると、例えば、ノズル２の噴出口を閉じたまま、内容液がシリンダ１ｃ内に充填された状態で、誤って操作レバー４を引いた場合、図６(b)に示すように、片持ち支持部１ｄが破断してしまうことがあった。
【００１２】
本発明の目的とするところは、ボディに設けた片持ち支持部に対して操作レバーを押し込んでフック部を組み付けるように構成しつつも、耐久性に優れた、新規なトリガー式液体噴出器を提供することにある。
【課題を解決するための手段】
【００１３】
本発明は、容器の口部に固定される支柱部を有して容器の内容液が延長部の先端に装着されたノズルを通して噴射されるボディと、当該ボディに設けたシリンダ内にピストンを配置しその往復運動によって容器の内容液をボディ内に吸引・圧送するポンプと、ピストンの往復運動を生起させてポンプ動作を惹起させる操作レバーとを備え、
当該操作レバーの上側にフック部を設ける一方、ボディの延長部の下方位置に、支柱部に向かって延在して延長部の下方に間隔を空けて連結される片持ち支持部と、当該片持ち支持部の先端との間に隙間を形成し当該隙間にフック部を押し込むために操作レバーを案内する傾斜壁と、片持ち支持部を挟み込むように延長部から垂下して傾斜壁の側面それぞれに連結される２つの側壁とを設け、
操作レバーを傾斜壁に沿って前記隙間に押し込んで、操作レバーのフック部を片持ち支持部に対して引っ掛けることで、操作レバーの牽曳を可能にすると共に、
前記側壁のうちの、一方の側壁に、当該側壁と対向する片持ち支持部の一方の側面を一体に連結し、当該側壁にそれぞれ、延長部に沿って伸びるスリットを設けたことを特徴とするものである。
【発明の効果】
【００１４】
本発明によれば、片持ち支持部の一方の側面を、片持ち支持部を挟み込むように延長部から垂下する２つの側壁のうちの、一方の側壁に一体に連結したことで、片持ち支持部は、その支持部に加えて、その２つの側面のうちの、一方の側面にも固定される。即ち、本発明に係る片持ち支持部は、実質的にスリット（切れ目）が入っただけの構成となるため、片持ち支持部全体としての剛性（強度）は、単なる片持ち支持部に比べて高まる。
【００１５】
その一方で、片持ち支持部の他方の側面は、従来のとおり、他の部分との関係では開放された状態（隙間が空いたスリット）にあるため、この隙間が空いたスリット（切れ目）からの変形及び復元が可能になる。このため、操作レバーを傾斜壁に沿って押し込んで片持ち支持部に組み付けるときも、操作レバーのフック部は、片持ち支持部を比較的容易に押し退けながら、当該片持ち支持部に引っ掛かる。
【００１６】
即ち、本発明によれば、片持ち支持部に要求される曲げ性能を維持しつつ、当該片持ち支持部全体の剛性（強度）を高めることができる。これにより、本発明によれば、ボディに設けた片持ち支持部に対して操作レバーを押し込んでフック部を組み付けるように構成しつつも、耐久性に優れた、新規なトリガー式液体噴出器を提供することができる。
【００１７】
また、本発明の如く、操作レバーを押し込んで片持ち支持部に組み付ける場合、延長部から垂下して傾斜壁に連結される側壁に、延長部に沿って伸びるスリットを設ければ、フック部が引っ掛かることで片持ち支持部に大きな負荷がかかる場合でも、当該負荷は、傾斜壁を保持する側壁に設けたスリットが開くことで軽減される。これにより、耐久性を更に高めることができる。
【図面の簡単な説明】
【００１８】
【図１】本発明に従うトリガー式噴出器の一形態を示す断面図である。
【図２】同形態に係る、ボディであって、本発明に係る、ボディの一形態を示す平面図である。
【図３】同ボディを示す側面図である。
【図４】同ボディに操作レバーを組み付けるときの状態を模式的に示す要部側面図である。
【図５】(a),(b)はそれぞれ、同ボディに係る、２つの片持ち支持部のうちの一方を模式的に示す要部平面図及び、同片持ち支持部に、操作レバーを組み付けた状態を模式的に示す要部平面図である。
【図６】(a),(b)はそれぞれ、ボディに設けた片持ち支持部に、操作レバーのフック部を引っ掛けて組み付けた状態を側面から模式的に示す要部断面図及び、同状態において、片持ち支持部が破断した状態を模式的に示す要部平面図である。
【図７】(a),(b)はそれぞれ、従来のボディに係る、片持ち支持部のうちの一方を模式的に示す要部平面図及び、同片持ち支持部に、操作レバーを組み付けた状態を模式的に示す要部平面図である。
【発明を実施するための形態】
【００１９】
以下、図面を参照して、本発明の一形態を詳細に説明する。なお、以下の説明では、図１を参照して説明する。
【００２０】
ボディ１は、図１に示すように、キャップＣを回転可能に保持する支柱部１ａを有し、この支柱部１ａには、下端に設けた開口を通してチューブＴが固定保持されている。これにより、ボディ１は、キャップＣを容器の口部に螺合させることで、口部を通して容器内にチューブＴを挿入させることができる。
【００２１】
また、延長部１ｂの内側には、チューブＴが固定保持される第１通路ｒ1に貫通孔Ａ1を通して通じる第２通路ｒ2が形成されている。第２通路ｒ2は、ノズル２に通じ、その内側には、吸入弁Ｖ1及び排出弁Ｖ2が配置されている。また、吸入弁Ｖ1及び排出弁Ｖ2の間には、中間弁Ｖ3が介在し、この中間弁Ｖ3を基点として、吸入弁Ｖ1及び排出弁Ｖ2が互いに弾性保持されている。
【００２２】
なお、ノズル２には、操作レバー４の誤った牽曳を防止するためストッパ２ｓが設けられている。ストッパ２ｓは、ノズル２と共に噴出口２ａ周りを回転する。これにより、ノズル２は、ストッパ２ｓによる操作レバー４の牽曳阻止と共に、噴出口２ａの封止を可能にする。
【００２３】
更に、シリンダ１ｃは、貫通孔Ａ2を通して第２通路ｒ2に通じる。シリンダ１ｃは、支柱部１ａと延長部１ｂとの間に配置され、ノズル２に向かうに従って斜め前方下向きになるように延在する。更に、シリンダ１ｃには、ピストン３がリターンスプリングＳを介して弾支されている。ピストン３は、リターンスプリングＳの弾性力に抗して操作レバー４を牽曳することにより、貫通孔Ａ2を通してシリンダ１ｃ内に充填された内容液を加圧・圧送する一方、リターンスプリングＳの付勢力による復帰により、吸入弁ｖ1を開放すると共に、貫通孔Ａ2を通してシリンダ１ｃ内に内容液を吸引する。
【００２４】
片持ち支持部１ｄは、図２に示すように、延長部１ｂを挟んで左右両側にそれぞれ、２箇所に配置されていると共に、図３等に示すように、延長部１ｂの下方に間隔を空けて連結され、延長部１ｂに沿って支柱部１ａに向かって延在している。また、片持ち支持部１ｄは、その２つの側面１ｄfのうちの、一方の側面１ｄf（図５に二点鎖線で示す）が、延長部１ｂから垂下する側壁１ｆの内側に一体に連結されている（同図(a)の斜線部分）。
【００２５】
これにより、隙間ｎは、図５(a)に示すように、２つの側壁１ｆを横断する隙間ｎ1と、この隙間ｎ1に繋がって側壁１ｆに沿って延在する隙間ｎ2とで形作られたＬ字形の隙間として構成される。
【００２６】
かかる構成によれば、操作レバー４を支柱部１ａに向かって引っ張ると、フック部４ｃの背面４ｆを傾斜壁１ｅから離間させながら、当該操作レバー４を起き上がらせつつ、フック部４ｃの引っ掛かった片持ち支持部１ｄの先端領域１ｄfを基点とした揺動を、リターンスプリングＳの付勢力に抗して生起させることで、操作レバー４の牽曳を可能にする一方、操作レバー４の引っ張りを開放すると、リターンスプリングＳの復元力により、操作レバー４を初期位置に復帰させる。
【００２７】
なお、本形態では、隙間ｎは、側壁１ｆと片持ち支持部１ｄとの間を、この片持ち支持部１ｄの延在方向に沿って隙間無く、肉付けすることで連結部１ｇを構成しているが、複数の連結片を、片持ち支持部１ｄの延在方向に間隔を空けて配置することで、間欠的に連結することも可能である。また、片持ち支持部１ｄには、補強リブ１ｒが一体に設けられている。但し、補強リブ１ｒの有無は任意である。
【００２８】
本形態によれば、片持ち支持部１ｄの一方の側面１ｄfを、片持ち支持部１ｄを挟み込むように延長部１ｂから垂下する２つの側壁１ｆのうちの、一方の側壁１ｆの内側に一体に連結したことで、片持ち支持部１ｄは、その支持部１ｄに加えて、その２つの側面１ｄfのうちの、一方の側面１ｄfにも固定される。即ち、本形態に係る片持ち支持部１ｄは、実質的にスリット（切れ目）ｎ2が入っただけの構成となるため、片持ち支持部１ｄ全体としての剛性（強度）は、図６，７にて説明した、単なる片持ち支持部１ｄに比べて高まる。
【００２９】
その一方で、片持ち支持部１ｄの他方の側面１ｄfは、従来のとおり、側壁１ｆとの関係では開放された状態（隙間が空いたスリット）ｎ2にあるため、この隙間が空いたスリット（切れ目）ｎ2からの変形及び復元が可能になる。このため、操作レバー４を傾斜壁１ｅに沿って押し込んで片持ち支持部１ｄに組み付けるときも、操作レバー４のフック部４ｃは、片持ち支持部１ｄを比較的容易に押し退けながら、当該片持ち支持部１ｄに引っ掛かる。
【００３０】
即ち、本形態によれば、片持ち支持部１ｄに要求される曲げ性能を維持しつつ、当該片持ち支持部１ｄ全体の剛性（強度）を高めることができる。これにより、本形態によれば、ボディ１に設けた片持ち支持部１ｄに対して操作レバー４を押し込んでフック部４ｃを組み付けるように構成しつつも、耐久性に優れた、新規なトリガー式液体噴出器を提供することができる。
【００３１】
また、本形態の如く、操作レバー４を押し込んで片持ち支持部１ｄに組み付ける場合、延長部１ｂから垂下して傾斜壁４ｅに連結される側壁１ｆに、延長部１ｂに沿って伸びるスリット１ｓを設ければ、フック部４ｃが引っ掛かることで片持ち支持部１ｄに大きな負荷がかかる場合でも、当該負荷は、傾斜壁１ｅを保持する側壁１ｆに設けたスリット１ｓが開くことで軽減される。これにより、片持ち支持部１ｄ及びフック部４ｃのいずれにも大きな負荷がかからないため、耐久性を更に高めることができる。
【００３２】
上述したところは、本発明の好適な形態を示したものであるが、用途に応じて様々に設計変更することができる。例えば、本発明によれば、各形態にて説明した個々の要素は、トリガー式噴出器の用途等に応じて適宜組み合わせることができる。
【産業上の利用可能性】
【００３３】
本発明は、消毒用のアルコール等の薬剤は勿論、シャンプーやリンス、液体石鹸、化粧料等の内容液として適用させることができ、また、ノズルからの噴射される形態も、噴霧に限ることなく、泡状に噴射させる構成のものにも適用させることができる。
【符号の説明】
【００３４】
１    ボディ
１ａ  支柱部
１ｂ  延長部
１ｃ  シリンダ
１ｄ  片持ち支持部
１ｄf 片持ち支持部の側面
１ｆ  側壁
１ｇ  連結部
１ｓ  スリット
２    ノズル
３    ピストン
４    操作レバー
４ａ  本体部
４ｂ  基部
４ｃ  フック部
Ａ1   貫通孔
Ａ2   貫通孔
Ｃ    キャップ
ｎ    隙間
ｎ1   幅方向隙間
ｎ2   延長方向隙間
ｒ1   第１通路
ｒ2   第２通路
Ｓ    リターンスプリング
Ｔ    チューブ
Ｖ1   吸入弁
Ｖ2   排出弁
Ｖ3   中間弁
【図１】
2011251213.tif 000003
【図２】
2011251213.tif 000004
【図３】
2011251213.tif 000005
【図４】
2011251213.tif 000006
【図５】
2011251213.tif 000007
【図６】
2011251213.tif 000008
【図７】
2011251213.tif 000009